(57)【要約】【課題】デジタルコンテンツの出力の制御を柔軟に行う。【解決手段】出力制御装置が、デジタルコンテンツを出力する出力手段が現在位置するエリアのセキュリティーレベル（以下、「ＥＳＬ」と略記）を表すＥＳＬ情報を取得し、また、出力対象のデジタルコンテンツに関するコンテンツセキュリティーレベル（以下、「ＣＳＬ」と略記）をその出力対象のデジタルコンテンツを基に特定する。出力制御装置は、取得したＥＳＬ情報が表すＥＳＬと、特定したＣＳＬとの比較を行い、その比較の結果を基に、出力対象のデジタルコンテンツの出力手段からの出力を制御する。【選択図】図１
2010188537.tif 000002
【特許請求の範囲】
【請求項１】
デジタルコンテンツを出力する出力手段が現在位置するエリアのセキュリティーレベル
を表すエリアセキュリティーレベル情報を取得するエリアセキュリティーレベル取得手段
と、
出力対象のデジタルコンテンツに関するコンテンツセキュリティーレベルをその出力対
象のデジタルコンテンツを基に特定するコンテンツセキュリティーレベル特定手段と、
前記取得したエリアセキュリティーレベル情報が表すエリアセキュリティーレベルと、
前記特定したコンテンツセキュリティーレベルとの比較を行い、その比較の結果を基に、
前記出力対象のデジタルコンテンツの前記出力手段からの出力を制御する出力制御手段と
を備える出力制御装置。
【請求項２】
請求項１記載の出力制御装置は、前記出力手段を備え、或るエリアから別のエリアに持
ち運ばれ得る装置であり、前記出力対象のデジタルコンテンツの各部分の属性を特定し、
前記各部分の属性に応じたコンテンツセキュリティーレベルを前記各部分について設定す
るコンテンツセキュリティーレベル設定手段を更に備え、
エリア毎に、そのエリアのセキュリティーレベルを表すエリアセキュリティーレベル情
報を無線送信するエリアセキュリティーレベル送信装置が配置されており、
前記出力手段は、デジタルコンテンツを可視的に出力する手段であり、
前記エリアセキュリティーレベル取得手段は、前記出力手段が現在位置するエリアに対
応したセキュリティーレベル送信装置からエリアセキュリティーレベル情報を無線受信す
る手段であり、
前記コンテンツセキュリティーレベル特定手段は、前記出力対象のデジタルコンテンツ
の部分についてのコンテンツセキュリティーレベルを特定し、
前記出力制御手段は、前記出力対象のデジタルコンテンツのうちの、前記取得したエリ
アセキュリティーレベル情報が表すエリアセキュリティーレベルよりも高いコンテンツセ
キュリティーレベルに関わるデジタルコンテンツ部分のみを、非表示とする、
請求項１記載の出力制御装置。
【請求項３】
前記出力制御手段は、前記取得したエリアセキュリティーレベル情報が表すエリアセキ
ュリティーレベルよりも前記特定したコンテンツセキュリティーレベルが高いデジタルコ
ンテンツ、又は、前記出力対象のデジタルコンテンツのうちの、前記取得したエリアセキ
ュリティーレベル情報が表すエリアセキュリティーレベルよりも高いコンテンツセキュリ
ティーレベルに関わるデジタルコンテンツ部分を、非表示とする、
請求項１記載の出力制御装置。
【請求項４】
前記出力対象のデジタルコンテンツの各部分の属性を特定し、前記各部分の属性に応じ
たコンテンツセキュリティーレベルを前記各部分について設定するコンテンツセキュリテ
ィーレベル設定手段を更に備える、
請求項１又は３記載の出力制御装置。
【請求項５】
前記出力制御手段は、前記デジタルコンテンツ又は前記デジタルコンテンツ部分が非出
力とならないエリアの位置を表す情報を取得し、取得した情報を前記出力手段から出力す
る、
請求項１乃至４のうちのいずれかに記載の出力制御装置。
【請求項６】
エリア毎に設けられている装置であって、そのエリアのセキュリティーレベルを表すエ
リアセキュリティーレベル情報を無線送信するエリアセキュリティーレベル送信装置と、
デジタルコンテンツを出力する出力手段と、
出力対象のデジタルコンテンツの前記出力手段からの出力を制御する出力制御装置と
を備え、
前記出力制御装置が、
前記出力手段が現在位置するエリアに対応したセキュリティーレベル送信装置からエリ
アセキュリティーレベル情報を無線受信するエリアセキュリティーレベル受信手段と、
前記出力対象のデジタルコンテンツに関するコンテンツセキュリティーレベルをその出
力対象のデジタルコンテンツを基に特定するコンテンツセキュリティーレベル特定手段と
、
前記取得したエリアセキュリティーレベル情報が表すエリアセキュリティーレベルと、
前記特定したコンテンツセキュリティーレベルとの比較を行い、その比較の結果を基に、
前記出力対象のデジタルコンテンツの前記出力手段からの出力を制御する出力制御手段と
を備える、
出力制御システム。
【請求項７】
デジタルコンテンツを出力する出力手段が現在位置するエリアのセキュリティーレベル
を表すエリアセキュリティーレベル情報を取得するステップと、
出力対象のデジタルコンテンツに関するコンテンツセキュリティーレベルをその出力対
象のデジタルコンテンツを基に特定するステップと、
前記取得したエリアセキュリティーレベル情報が表すエリアセキュリティーレベルと、
前記特定したコンテンツセキュリティーレベルとの比較を行い、その比較の結果を基に、
前記出力対象のデジタルコンテンツの前記出力手段からの出力を制御するステップと
を有する出力制御方法。
【請求項８】
デジタルコンテンツを出力する出力手段が現在位置するエリアのセキュリティーレベル
を表すエリアセキュリティーレベル情報を取得するステップと、
出力対象のデジタルコンテンツに関するコンテンツセキュリティーレベルをその出力対
象のデジタルコンテンツを基に特定するステップと、
前記取得したエリアセキュリティーレベル情報が表すエリアセキュリティーレベルと、
前記特定したコンテンツセキュリティーレベルとの比較を行い、その比較の結果を基に、
前記出力対象のデジタルコンテンツの前記出力手段からの出力を制御するステップと
をコンピュータに実行させるためのコンピュータプログラム。
【発明の詳細な説明】
【技術分野】
【０００１】
本発明は、デジタルコンテンツの出力の制御に関する。
【背景技術】
【０００２】
プリンターやプロジェクターなどの出力装置が、セキュリティーの確保されていない公
共の場所に持ち運ばれそこで利用されることがある。特に公共の場所では、出力機器から
出力されるデジタルコンテンツのセキュリティーを守ることが望ましい。特許文献１には
、出力装置の一種として画像形成装置が開示されており、その画像形成装置は、その画像
形成装置の位置情報に基づいて、その画像形成装置の動作の設定変更を行う。
【先行技術文献】
【特許文献】
【０００３】
【特許文献１】特開２００５−３１１７７号公報
【発明の概要】
【発明が解決しようとする課題】
【０００４】
しかし、出力装置の動作の設定変更を行うだけでは、出力されるデジタルコンテンツの
セキュリティー保護を柔軟に行うことは不可能である。例えば、或る場所ではデジタルコ
ンテンツを全く印刷しないよう設定することはできても、その場所でデジタルコンテンツ
を印刷したりしなかったりすることはできない。
【０００５】
そこで、本発明の目的は、各エリア内でのデジタルコンテンツの出力の制御を柔軟に行
うことにある。
【課題を解決するための手段】
【０００６】
出力制御装置が、デジタルコンテンツを出力する出力手段が現在位置するエリアのセキ
ュリティーレベル（以下、「ＥＳＬ」と略記）を表すＥＳＬ情報を取得し、また、出力対
象のデジタルコンテンツに関するコンテンツセキュリティーレベル（以下、「ＣＳＬ」と
略記）をその出力対象のデジタルコンテンツを基に特定する。出力制御装置は、取得した
ＥＳＬ情報が表すＥＳＬと、特定したＣＳＬとの比較を行い、その比較の結果を基に、出
力対象のデジタルコンテンツの出力手段からの出力を制御する。
【０００７】
具体的には、例えば、出力制御装置は、ＥＳＬよりも高いＣＳＬのデジタルコンテンツ
、又は、デジタルコンテンツのうちの、ＥＳＬよりも高いＣＳＬに関わるデジタルコンテ
ンツ部分を、非表示とする。デジタルコンテンツは、例えば、文書、静止画、動画などの
電子ファイルである。デジタルコンテンツ部分は、例えば、デジタルコンテンツが文書フ
ァイルの場合、ページであっても良いし、一ページにおけるオブジェクト（例えば、図形
、一以上の文字から成る文字列など）であっても良い。デジタルコンテンツ又はその部分
が非表示の場合、何らかの代替表示が行われて良い。例えば、デジタルコンテンツそれ自
体が非表示の場合には、何らかのメッセージ或いはマーク等のオブジェクトが表示されて
良く、デジタルコンテンツ部分が非表示の場合、そのデジタルコンテンツ部分が本来表示
される位置のみに、何らかのメッセージ或いはマーク等のオブジェクトが表示されて良い
（つまりデジタルコンテンツ部分がそのオブジェクトで隠されて良い）。
【図面の簡単な説明】
【０００８】
【図１】図１は、本発明の一実施形態の概要を示す。
【図２】図２は、本発明の一実施形態に係るＥＳＬ送信装置１０３、出力装置２０１及びクライアント端末２３１の機能ブロックを示す。
【図３】図３は、出力装置２０１が行う処理の流れを示す。
【図４】図４Ａは、ユーザー所望のデジタルコンテンツにユーザー所望のコンテンツセキュリティーレベルを設定する方法の一例の説明図である。図４Ｂは、セキュリティーレベルコンテンツを自動で決定する方法の一例の説明図である。
【図５】図５Ａは、ユーザー所望のデジタルコンテンツの部分にユーザー所望のコンテンツセキュリティーレベルが設定されたデジタルコンテンツの一例を示す。図５Ｂは、図５Ａに示したデジタルコンテンツの表示結果の一例を示す。
【図６】図６は、本発明の別の実施形態に係るシステムの概要を示す。
【発明を実施するための形態】
【０００９】
以下、本発明の一実施形態を説明する。なお、以下の説明では、同種の要素を区別せず
に説明する場合には親符号のみを用い、同種の要素を区別して説明する場合には親符号と
子符号とを用いることとする。
【００１０】
図１は、本発明の一実施形態の概要を示す。
【００１１】
幾つかのエリア１０１がある。少なくとも一つのエリアには、特定の者だけではなく、
不特定の者が存在し得る。図１には、２つのエリア１０１Ｈ及び１０１Ｌが例示されてい
る。
【００１２】
エリア１０１毎に、エリアセキュリティーレベル（ＥＳＬ）送信装置１０３が備えられ
ている。ＥＳＬ送信装置１０３は、その装置１０３を備えるエリア１０１のＥＳＬを表す
ＥＳＬ情報を定期的に（又は不定期的に）無線発信する。図１の例では、エリア１０１Ｈ
は、ＥＳＬ「高」のエリア（例えば、特定の権限を有する社員のみが入り得るエリア）で
あり、エリア１０１Ｌは、ＥＳＬ「低」のエリア（例えば、社員と特定の外部者のみが入
り得るエリア）である。このため、エリア１０１Ｈに備えられているＥＳＬ送信装置１０
３Ｈは、ＥＳＬ「高」を表すＥＳＬ情報を発信し、一方、エリア１０１Ｌに備えられてい
るＥＳＬ送信装置１０３Ｌは、ＥＳＬ「低」を表すＥＳＬ情報を発信する。
【００１３】
本実施形態に係る出力装置の一例として、プロジェクター１０５がある。プロジェクタ
ー１０５は、保持したデジタルコンテンツ（例えば文書ファイル）１０７を投影する装置
である。このプロジェクター１０５は、自分がいるエリア１０１に対応したＥＳＬ送信装
置１０３からＥＳＬ情報を受信してそのＥＳＬを特定し、また、出力対象のデジタルコン
テンツ１０７のコンテンツセキュリティーレベル（ＣＳＬ）を特定する。プロジェクター
１０５は、特定したＥＳＬとＣＳＬとを比較し、ＥＳＬより高いＣＳＬのデジタルコンテ
ンツ１０７を非出力とする。具体的には、例えば、出力対象のコンテンツとして、ＣＳＬ
「高」のデジタルコンテンツ１０７Ｈと、ＣＳＬ「低」のデジタルコンテンツ１０７Ｌが
あるとする。ＣＳＬ「高」とＥＳＬ「高」は同じレベルである。このため、図１に示すよ
うに、エリア１０１Ｈでプロジェクター１０５が利用される場合には、エリア１０１Ｈの
ＥＳＬが「高」であるが故、プロジェクター１０５は、両方のデジタルコンテンツ１０７
Ｈ及び１０７Ｌを投影し得る。しかし、プロジェクター１０５がエリア１０１Ｌに持ち運
ばれ、エリア１０１Ｌでプロジェクター１０５が利用される場合、エリア１０１ＬのＥＳ
Ｌ「低」よりもＣＳＬ「高」の方がレベルが高いため、プロジェクター１０５は、デジタ
ルコンテンツ１０７Ｈについては投影を行わない。
【００１４】
以上の説明によれば、エリアのＥＳＬとデジタルコンテンツのＣＳＬとが特定され、同
じエリアであっても、デジタルコンテンツのＣＳＬに応じて、そのデジタルコンテンツが
出力されるか非出力とされるかが制御される。
【００１５】
以下、本実施形態を詳細に説明する。
【００１６】
図２は、本発明の一実施形態に係るＥＳＬ送信装置１０３、出力装置２０１及びクライ
アント端末２３１の機能ブロックを示す。
【００１７】
クライアント端末２３１は、出力装置２０１と有線又は無線の通信が可能な装置（例え
ば、パーソナルコンピューター、携帯電話機など）であり、コンテンツ送信手段２４１と
、出力指示送信手段２４２とを備える。コンテンツ送信手段２４１は、デジタルコンテン
ツを出力装置２０１に送信する。出力指示送信手段２４２は、出力対象のデジタルコンテ
ンツを指定した出力指定（例えば、ファイル名を指定した指示）を出力装置２０１に送信
する。
【００１８】
ＥＳＬ送信装置１０３は、ＥＳＬ情報を無線発信するＥＳＬ送信手段２１１を備える。
ＥＳＬ装置１０３には、その装置１０３がいるエリアに応じたＥＳＬが設定され、ＥＳＬ
送信手段２１１が、そのＥＳＬを表すＥＳＬ情報を送信する（例えば、Zigbee（登録商標
）に従う方式で無線送信する）。なお、ＥＳＬは、例えば、数値で表現され、ＥＳＬとエ
リアの関係は、例えば、下記の関係、
ＥＳＬ「０」：誰もが入れるエリア；
ＥＳＬ「１」：社員と特定の外部者のみが入れるエリア；
ＥＳＬ「２」：社員のみが入れるエリア；
ＥＳＬ「３」：特定の権限を持つ社員のみが入れるエリア；
とすることができる。ＥＳＬが数値で表現される場合、ＣＳＬも数値で表現される。ちな
みに、ＣＳＬとデジタルコンテンツの関係は、例えば、下記の関係、
ＣＳＬ「０」：どのエリアでも表示可能なデジタルコンテンツ；
ＣＳＬ「１」：ＥＳＬ「１」以上のエリアでの出力が可能なデジタルコンテンツ；
ＣＳＬ「２」：ＥＳＬ「２」以上のエリアでの出力が可能なデジタルコンテンツ；
ＣＳＬ「３」：ＥＳＬ「３」のエリアのみでの出力が可能なデジタルコンテンツ；
とすることができる。
【００１９】
出力装置２０１は、本発明の一実施形態に係る出力制御装置としての機能を有する。出
力装置２０１としては、パーソナルコンピューター、プロジェクター、プリンター、携帯
電話機、電子ペーパーなど、種々の装置を採用できる。出力装置２０１は、ＥＳＬ取得手
段２２１と、コンテンツ受信手段２２７と、コンテンツ一時保存手段２２５と、ＣＳＬ特
定手段２２４と、出力指示受信手段２２６と、出力制御手段２２２と、出力手段２２３と
を備える。
【００２０】
ＥＳＬ取得手段２２１は、ＥＳＬ送信装置２０１からＥＳＬ情報を受信し、そのＥＳＬ
情報が表すＥＳＬを特定する。
【００２１】
コンテンツ受信手段２２７は、デジタルコンテンツをクライアント端末２３１から受信
する。コンテンツ一時保存手段２２５は、受信したデジタルコンテンツをメモリ等に一時
保存する。出力指示受信手段２２６は、出力対象のデジタルコンテンツを指定した出力指
示をクライアント端末２３１から受信する。なお、デジタルコンテンツや出力指示は、ク
ライアント端末２３１から受信する方法に加えて又は代えて、他の方法で受けることが可
能である。例えば、可搬型の記憶媒体がこの出力装置２０１の記憶媒体インターフェイス
（図示せず）に挿され、その記憶媒体からデジタルコンテンツが読み出されても良い。そ
して、読み出されたデジタルコンテンツをコンテンツ一時保存手段２２５が一時保存し、
そのデジタルコンテンツの出力指示を、出力装置２０１が有するユーザーインターフェイ
ス（図示せず、例えば操作パネル）を介してユーザーからされても良い。
【００２２】
ＣＳＬ特定手段２２４は、一時保存されたデジタルコンテンツのＣＳＬを特定する。Ｃ
ＳＬをどのように特定するかについては、後に詳述する。
【００２３】
出力制御手段２２２は、デジタルコンテンツの出力指示に応じて、デジタルコンテンツ
の出力を制御する。具体的には、出力制御手段２２２は、特定されたＥＳＬとＣＳＬとを
比較し、その比較の結果に応じて、デジタルコンテンツの全てを出力手段２２３から出力
するか、もしくは出力しないか等を制御する。なお、例えば、この出力制御手段２２２や
、ＥＳＬ取得手段２２１及びＣＳＬ特定手段２２４は、プロセッサがコンピュータプログ
ラムを実行することにより実現される機能である。
【００２４】
出力手段２２３は、出力制御手段２２２からのデジタルコンテンツを出力する。出力手
段２２３は、例えば、出力装置２０１がプロジェクターであれば、例えばレンズであり、
出力装置２０１がプリンターであれば、例えば印刷エンジンである。
【００２５】
図３は、出力装置２０１が行う処理の流れを示す。この処理は、例えば、デジタルコン
テンツの出力指示を受けた場合に行われる。
【００２６】
ＥＳＬ取得手段２２１は、この処理が開始されてから一定時間以内にＥＳＬ情報を受信
すれば（Ｓ３０１：ＴＲＵＥ）、受信したＥＳＬ情報が表すＥＳＬをメモリ或いはレジス
タ等の記憶領域に設定する（Ｓ３０２）。一方、一定時間以内にＥＳＬ情報を受信しなけ
れば（Ｓ３０１：ＦＡＬＳＥ）、ＥＳＬ取得手段２２１は、最低のＥＳＬ（例えばＥＳＬ
「０」）を上記記憶領域に設定する（Ｓ３０３）。
【００２７】
ＣＳＬ特定手段２２４は、出力対象のデジタルコンテンツが一時保存されている場合（
Ｓ３０４：ＴＲＵＥ）、そのデジタルコンテンツのＣＳＬを特定する（Ｓ３０５）。
【００２８】
出力制御手段２２２が、上記記憶領域に設定されているＥＳＬと、上記特定されたＣＳ
Ｌとを比較する（Ｓ３０６）。その結果、ＣＳＬがＥＳＬ以下であれば（Ｓ３０６：ＦＡ
ＬＳＥ）、出力制御手段２２２は、そのデジタルコンテンツを出力手段２２３から出力し
（Ｓ３０７）、一方、ＣＳＬがＥＳＬより高ければ（Ｓ３０６：ＴＲＵＥ）、そのデジタ
ルコンテンツを出力しない（Ｓ３０８）。
【００２９】
ところで、ＣＳＬは、例えば以下のように決定される。
【００３０】
例えば、図４Ａに示すように、クライアント端末２３１が、ユーザー所望のデジタルコ
ンテンツの設定ウィンドウ４０１を表示する。その設定ウィンドウ４０１には、ユーザー
所望のデジタルコンテンツに設定するＣＳＬの設定欄が設けられている。ユーザーは、所
望のＣＳＬをその設定欄に入力する。入力されたＣＳＬは、例えば、デジタルコンテンツ
の属性情報として、そのデジタルコンテンツに設定される。この場合、デジタルコンテン
ツの属性情報から、そのデジタルコンテンツのＣＳＬを特定することができる。
【００３１】
なお、ＣＳＬのユーザー設定は、デジタルコンテンツ単位ではなく、例えば図５Ａに示
すように、デジタルコンテンツの部分単位で行うことができる。デジタルコンテンツの部
分としては、例えば、ページであっても良いし、ページ内の文字列或いは図形などのオブ
ジェクトであっても良い。図５Ａの例によれば、網掛けが施されているデジタルコンテン
ツ部分にＣＳＬが設定される。設定されるＣＳＬは、全ての網掛けについて共通の値であ
っても良いし、網掛け毎に異なっていても良い。
【００３２】
ＣＳＬの別の決定方法として、図４Ｂに示すように、ＣＳＬ特定手段２２４が、デジタ
ルコンテンツに基づいて自動で決定する方法がある。まず、ＣＳＬ特定手段２２４は、一
時保存されているデジタルコンテンツを解析する（Ｓ４０１）。具体的には、ＣＳＬ特定
手段２２４は、デジタルコンテンツの各部分の属性（例えば、どんなキーワードが含まれ
ているか、或いは、太字、下線、網掛け或いはマーカ等の強調表示設定がされているかど
うか）を特定する。そして、ＣＳＬ特定手段２２４は、特定された各部分の属性と、ＣＳ
Ｌ決定ルール情報４１１とを基に、デジタルコンテンツそれ自体、或いは、デジタルコン
テンツ部分毎について、ＣＳＬを決定し（Ｓ４０２）、決定したＣＳＬを、デジタルコン
テンツの属性情報としてデジタルコンテンツに設定する（Ｓ４０３）。
【００３３】
ＣＳＬ決定ルール情報４１１は、デジタルコンテンツ部分がどんな属性の場合にどんな
ＣＳＬにするかのルールを表す情報である。例えば、この情報４１１は、下記の情報（Ａ
）乃至（Ｄ）、
（Ａ）キーワード「取扱注意」、「公開禁止」又は「転用禁止」が含まれているページの
ＣＳＬを「１」とする；
（Ｂ）キーワード「外秘」又は「社外秘」が含まれているページのＣＳＬを「２」とする
；
（Ｃ）キーワード「部外秘」、「最重要機密」、「極秘」又は「コピー禁止」が含まれて
いるページのＣＳＬを「３」とする；
（Ｄ）全ページに「Confidential」が含まれていればデジタルコンテンツそれ自体のＣＳ
Ｌを「３」とする；
を含んでいる。この場合、ＣＳＬ特定手段２２４は、例えば、デジタルコンテンツにおけ
る或るページに文字列「社外秘」が含まれていることを特定した場合には、そのページの
ＣＳＬとして「２」を決定し、そのページのＣＳＬが「２」であることを、デジタルコン
テンツの属性情報に含める。この場合、ＥＳＬが「２」以上のエリアでは、ＣＳＬ「２」
のそのページは出力されるが、ＥＳＬが「１」以下のエリアでは、ＣＳＬ「２」のそのペ
ージは出力されない（他のページは、ＣＳＬの値によっては出力され得る）。
【００３４】
なお、この情報４１１は、例えば、出力装置２０１内の記憶資源（図示せず）に予め記
憶されている。この情報４１１は、クライアント端末２０１又は出力装置２０１のユーザ
ーインターフェイス等からユーザーによって更新可能である。
【００３５】
デジタルコンテンツを基にＣＳＬを決定する機能は、出力装置２０１に代えて又は加え
て、クライアント端末２３１に備えられても良い。しかし、出力装置２０１にその機能が
備えられていれば、デジタルコンテンツに予めＣＳＬが設定されていなくても、出力する
前にそのデジタルコンテンツに適切なＣＳＬを設定しそのＣＳＬを基に出力制御が行われ
るので、デジタルコンテンツのセキュリティーを保護する上でより効果的であると考えら
れる。
【００３６】
以上のようにして設定されたＣＳＬと、ＥＳＬとに基づき、デジタルコンテンツの出力
が制御される。これにより、ＥＳＬより高いＣＳＬのデジタルコンテンツ又はその部分は
、非出力となる。非出力の場合、例えば、特定のメッセージ或いはマーク等のオブジェク
トが代替的に出力される。具体的には、例えば、出力制御手段２２２は、ＥＳＬより高い
ＣＳＬのページについては、そのページについて本来出力されるべき内容に代えて、「こ
の内容はこのエリアで表示することが許されておりません。」というメッセージを表示し
て良い。また、例えば、図５Ａに示したように、デジタルコンテンツの部分毎にＣＳＬが
設定されている場合、図５Ｂに示すように、ＥＳＬより高いＣＳＬの部分についてのみ、
その部分の内容に代えて「社外秘」というメッセージを表示しても良い。より具体的に言
えば、図５Ａの例では、網掛けされた文字列「ＬＰ−１２３４」にＣＳＬ「２」が設定さ
れ、網掛けされた他の部分にＣＳＬ「３」が設定され、ＥＳＬが「２」であるが故に、図
５Ｂに示すように、ＣＳＬ「３」の部分のみが代替メッセージ「社外秘」で隠されて表示
される。
【００３７】
以上が、本実施形態についての説明である。
【００３８】
上述した実施形態によれば、或るエリア１０１でデジタルコンテンツを出力するケース
において、そのエリア１０１のＥＳＬ以下のＣＳＬのデジタルコンテンツであれば、出力
がされるし、そのＥＳＬより高いＣＳＬのデジタルコンテンツであれば、非出力とされる
。これにより、デジタルコンテンツの出力の制御を柔軟に行うことができる。
【００３９】
また、上述した実施形態によれば、ＣＳＬは、デジタルコンテンツの部分単位で特定さ
れる。このため、デジタルコンテンツの出力の制御をより柔軟に行うことができる。すな
わち、デジタルコンテンツ全体が出力されないというケースを軽減し、大事な部分のみを
非出力とした状態（例えば隠した状態）で出力することができる。
【００４０】
以上、本発明の好適な実施形態を説明したが、これは本発明の説明のための例示であっ
て、本発明の範囲をこの実施形態にのみ限定する趣旨ではない。本発明は、他の種々の形
態でも実施することが可能である。
【００４１】
例えば、出力は、表示に限らず、データコピーなどの他の出力でもよい。このため、例
えば、或るエリア１０１で、出力装置２０１からその装置２０１に挿された可搬型の記憶
媒体にデジタルコンテンツをコピーすることが指示された場合、そのデジタルコンテンツ
又はその部分のＣＳＬがＥＳＬよりも高ければ、そのデジタルコンテンツのコピーが禁止
される、又は、そのデジタルコンテンツの部分が加工されて（例えばマスク処理が施され
て）コピーされるなどが行われても良い。
【００４２】
また、例えば、高いＥＳＬのエリアにあるＥＳＬ送信装置１０３は、ＥＳＬ情報と共に
暗号キーを発信しても良い。この場合、出力制御手段２２２は、デジタルコンテンツを出
力する場合、ＥＳＬ送信装置１０３から受信した暗号キーを用いてデジタルコンテンツを
復号化してから出力する。これによれば、許可されたエリアのみでしか、デジタルコンテ
ンツが復号化されないため、セキュリティーを向上できる。
【００４３】
また、例えば、代替的にメッセージ等のオブジェクトを表示することに代えて又は加え
て、出力制御手段２２２は、デジタルコンテンツ又はデジタルコンテンツ部分が非出力と
ならないエリアの位置を表す情報を取得し、取得した情報を出力手段２２３から出力して
も良い。具体的には、例えば、出力制御手段２２２は、ネットワークを介して特定のサー
バから、出力対象のデジタルコンテンツの全てを出力できるエリア（つまり、そのデジタ
ルコンテンツに設定されたＣＳＬ以上のＥＳＬのエリア）の位置を表す情報（例えば地図
情報）を取得し、取得した情報を出力することができる。
【００４４】
また、例えば、必ずしもＥＳＬ送信装置が無くても良い。一例を、図６に示す。図６で
は、エリア１０１Ａ、１０１Ｂにプリンター７０１Ｈ、７０１Ｌが設置されている。クラ
イアント端末７０３が、どのプリンターがどのＥＳＬのエリアにいるかを把握している。
ここでは、エリア１０１ＡのＥＳＬが「高」であり、エリア１０１ＢのＥＳＬが「低」で
ある。クライアント端末７０３が、出力制御装置として機能することができる。すなわち
、クライアント端末７０３は、例えば、ＥＳＬ「高」のエリア１０１Ａにあるプリンター
７０１Ｈからは、ＣＳＬ「高」のデジタルコンテンツ１０７ＨとＣＳＬ「低」のデジタル
コンテンツ１０７Ｌのいずれも印刷させることができる。一方、クライアント端末７０３
は、ＥＳＬ「低」のエリア１０１Ｂにいるプリンター７０１Ｌからは、ＣＳＬ「高」のデ
ジタルコンテンツ１０７Ｈを印刷せず、印刷できない旨をユーザーに通知することができ
る。なお、プリンター７０１Ｈ、７０１Ｌが、例えば、クライアント端末７０３から、自
分がいるエリアのＥＳＬを知らされて（或いは、管理者が、各プリンター７０１Ｈ、７０
１Ｌに、そのプリンター７０１Ｈ、７０１Ｌのユーザーインターフェイスを介して、ＥＳ
Ｌを設定して）、各プリンター７０１Ｈ、７０１Ｌが、デジタルコンテンツのＣＳＬと、
設定されたＥＳＬとを基に、出力制御を行っても良い。
【符号の説明】
【００４５】
１０３…エリアセキュリティーレベル送信装置  １０５…プロジェクター
【図１】
2010188537.tif 000003
【図２】
2010188537.tif 000004
【図３】
2010188537.tif 000005
【図４】
2010188537.tif 000006
【図５】
2010188537.tif 000007
【図６】
2010188537.tif 000008